(57)【要約】【課題】転写具における転写テープを包含するリフィルの交換の際の脱着作業をより容易に行い得るようにする。【解決手段】転写物を転写テープ１２６から転写対象面に転写するための転写ヘッド１２５を備えた転写具本体１と、転写具本体１を収容する外ケース２とを具備し、外ケース２が転写具本体１に対して相対回転移動することで、転写具本体１の転写ヘッド１２５が外ケース２に覆われる非使用状態と、転写具本体１の転写ヘッド１２５が外ケース２外に露出する使用状態とをとり得る転写具であって、前記外ケース２が、第一ケース部材２１と、この第一ケース部材２１と重なり合い当該外ケース２が閉じた状態となる閉成姿勢と第一ケース部材２１から離反して当該外ケース２が開いた状態となる展開姿勢とをとり得る第二ケース部材２２とを備えている転写具を構成した。【選択図】図６
2019104115.tif 000002
【特許請求の範囲】
【請求項１】
転写物を転写テープから転写対象面に転写するための転写ヘッドを備えた転写具本体と、転写具本体を収容する外ケースとを具備し、外ケースが転写具本体に対して相対回転移動することで、転写具本体の転写ヘッドが外ケースに覆われる非使用状態と、転写具本体の転写ヘッドが外ケース外に露出する使用状態とをとり得る転写具であって、
前記外ケースが、第一ケース部材と、この第一ケース部材と重なり合い当該外ケースが閉じた状態となる閉成姿勢と第一ケース部材から離反して当該外ケースが開いた状態となる展開姿勢とをとり得る第二ケース部材とを備えている転写具。
【請求項２】
前記外ケースが、前記第二ケース部材が第一ケース部材に対して相対的に閉成姿勢と展開姿勢との間で回動できるように第二ケース部材を第一ケース部材に連結するヒンジを備えている請求項１記載の転写具。
【請求項３】
前記外ケースが前記転写具本体に対して所定の仮想平面に沿って相対移動するものであり、
前記第二ケース部材が前記第一ケース部材に対して前記仮想平面と略平行な軸回りに回動する請求項２記載の転写具。
【請求項４】
前記外ケースが、前記閉成姿勢をとるときに前記転写具本体の大半部または全域を隠蔽でき、前記展開姿勢をとるときに転写具本体の大半部または全域を露出させ得るものである請求項１、２または３転写具。
【請求項５】
前記閉成姿勢において隠蔽され前記展開姿勢において露出する、前記第二ケース部材の内面または前記転写具本体の外面に、当該転写具の使用方法または注意事項を表示するための表示領域が設けられている請求項１、２、３または４転写具。
【発明の詳細な説明】
【技術分野】
【０００１】
本発明は、粘着剤や修正テープ、顔料等の転写物を紙面その他の転写対象面に転写するために使用される転写具に関する。
【背景技術】
【０００２】
転写具は、転写物を付着させた転写テープを繰り出す繰出リールと、繰出リールから繰り出される転写テープが巻き掛けられた転写ヘッドと、転写ヘッドを経由した転写テープを巻き取る巻取リールとを備えており、転写ヘッドを転写対象面に対して押圧することで、転写物を転写テープから転写対象面に転写することができる。
【０００３】
繰出リール、転写ヘッド及び巻取リールを包有する転写具本体は、非使用時に外ケースに収容されることがある。例えば、下記特許文献に開示されている転写具では、外ケース（「ケースホルダー２」）が転写具本体に対して相対的に回転移動可能となっており、使用時に外ケースを正方向に回転させて転写具本体及びその先端側の転写ヘッドを露出させるとともに、非使用時には外ケースを逆方向に回転させて転写具本体を転写ヘッドとともに外ケースの内に収納するようになっている。
【先行技術文献】
【特許文献】
【０００４】
【特許文献１】特開平１１−１７０７７５号公報
【発明の概要】
【発明が解決しようとする課題】
【０００５】
転写具の使用に伴い、転写物及び転写テープは消費されてゆく。それ故、転写ヘッド、繰出リール及び巻取リールを有するリフィルを適時交換して、転写物を補給する必要が生じる。
【０００６】
本発明は、転写具における転写テープを包含するリフィルの交換の際の脱着作業をより容易に行い得るようにすることを所期の目的としている。
【課題を解決するための手段】
【０００７】
上述した課題を解決するべく、本発明では、転写物を転写テープから転写対象面に転写するための転写ヘッドを備えた転写具本体と、転写具本体を収容する外ケースとを具備し、外ケースが転写具本体に対して相対回転移動することで、転写具本体の転写ヘッドが外ケースに覆われる非使用状態と、転写具本体の転写ヘッドが外ケース外に露出する使用状態とをとり得る転写具であって、前記外ケースが、第一ケース部材と、この第一ケース部材と重なり合い当該外ケースが閉じた状態となる閉成姿勢と第一ケース部材から離反して当該外ケースが開いた状態となる展開姿勢とをとり得る第二ケース部材とを備えている転写具を構成した。
【０００８】
前記外ケースは、前記第二ケース部材が第一ケース部材に対して相対的に閉成姿勢と展開姿勢との間で回動できるように第二ケース部材を第一ケース部材に連結するヒンジを備えていることがある。
【０００９】
前記外ケースが前記転写具本体に対して所定の仮想平面に沿って相対移動するものであり、前記第二ケース部材が前記第一ケース部材に対して前記仮想平面と略平行な軸回りに回動するならば、展開姿勢において転写具本体の大半部ないし全域を露出させるために好適である。
【００１０】
前記外ケースは、前記閉成姿勢をとるときに前記転写具本体の大半部または全域を隠蔽でき、前記展開姿勢をとるときに転写具本体の大半部または全域を露出させ得るものであることが好ましい。
【００１１】
その上で、前記閉成姿勢において隠蔽され前記展開姿勢において露出する、前記第二ケース部材の内面または前記転写具本体の外面に、当該転写具の使用方法または注意事項を表示するための表示領域が設けられていれば、使用者がリフィルを交換する方法その他の使用方法や使用に際する注意事項を簡便に把握することができる。
【発明の効果】
【００１２】
本発明によれば、転写具における転写テープを包含するリフィルの交換の際の脱着作業をより容易に行い得る。
【図面の簡単な説明】
【００１３】
【図１】本発明の一実施形態の転写具を示す斜視図。
【図２】同実施形態の転写具の操作ボタンを示す斜視図。
【図３】同実施形態の転写具の外ケースを回転させて転写ヘッドを露出させた状況を示す斜視図。
【図４】同実施形態の転写具の外ケースを回転させて第一の使用状態とした状況を示す斜視図。
【図５】同実施形態の転写具の外ケースを回転させて第二の使用状態とした状況を示す斜視図。
【図６】同実施形態の転写具の外ケースを展開した状況を示す斜視図。
【図７】同実施形態の転写具のリフィル部をベース部から取り外した状況を示す分解斜視図。
【図８】同実施形態の転写具の外ケースのヒンジを示す斜視図。
【図９】同実施形態の転写具の外ケースのヒンジを示す側断面図。
【図１０】同実施形態の転写具の外ケースのヒンジを示す斜視図。
【図１１】同実施形態の転写具の転写具本体及び第一ケース部材を示す側断面図。
【図１２】同実施形態の転写具の第一ケース部材、カバー、ロック機構及び変換機構を示す平面図。
【図１３】同実施形態の転写具の第一ケース部材、カバー、ロック機構及び変換機構を示す平面図。
【図１４】同実施形態の転写具の第一ケース部材、カバー、ロック機構及び変換機構を示す平面図。
【図１５】同実施形態の転写具の第一ケース部材、カバー、ロック機構及び変換機構を示す平面図。
【図１６】同実施形態の転写具の変換機構の歯車を示す分解斜視図。
【図１７】同実施形態の転写具の変換機構の歯車を示す平断面図。
【図１８】同実施形態の転写具の転写具本体のフレーム及び外ケースを示す平断面図。
【図１９】同実施形態の転写具の係留機構を示す正断面図。
【図２０】同実施形態の転写具の表示領域に貼付されるステッカーを例示する図。
【発明を実施するための形態】
【００１４】
本発明の一実施形態を、図面を参照して説明する。図１ないし図１９に示す本実施形態の転写具は、例えば粘着剤や修正テープ、顔料等の転写物を転写テープ１２６から紙面その他の転写対象面に転写するための転写ヘッド１２５を備えた転写具本体１と、転写具本体１に装着されてこれを覆う外ケース２とを具備してなる。そして、外ケース２が転写具本体１に対して相対的に回転移動することにより、図１及び図２に示すように転写具本体１及び転写ヘッド１２５が外ケース２内に収納される非使用状態と、図４及び図５に示すように転写具本体１の転写ヘッド１２５が外ケース２外に露出する使用状態とをとり得るものである。
【００１５】
図６、図７及び図１１に示すように、転写具本体１は、転写対象面に転写されるべき転写物が付着している（即ち、転写物を支持している）転写テープ１２６を繰り出す繰出リール１２４と、繰出リール１２４から繰り出される転写テープ１２６が巻き掛けられる転写ヘッド１２５と、転写ヘッド１２５を経由した後の転写テープ１２６を巻き取る巻取リール１２３と、繰出リール１２４の回転と巻取リール１２３の回転とを連動させる歯車伝動機構とを備えている。本実施形態の転写具を使用する際には、転写ヘッド１２５が外ケース２の外部に露出する使用状態とした後、外ケース２の把持部を把持し、転写ヘッド１２５を転写対象面に対して押圧しながら、転写具を転写対象面に対して相対的に変位させる。さすれば、巻取リール１２３が繰り出された転写テープ１２６の外表面に付着している転写物を、転写テープ１２６から転写対象面に転写することができる。転写物が剥離し除去された使用済みの転写テープ１２６は、巻取リール１２３に巻き取られる。
【００１６】
外ケース２は、第一ケース部材２１及び第二ケース部材２２を要素とした半割構造をなす。外ケース２は、繰出リール１２４及び巻取リール１２３の回転軸の伸びる方向に沿って見た平面視において、基端側が円形で先端側に向かって徐々に先細りとなる略涙滴状の外形を有している。その基端側の円弧状の輪郭の中心が、当該外ケース２の転写具本体１に対する相対的な回転移動の中心となっており、外ケース２は繰出リール１２４及び巻取リール１２３の回転軸と略平行に伸びる軸回りに正逆回転する。
【００１７】
第一ケース部材２１は、平面視略涙滴状をなす底壁２１１と、底壁２１１の外周縁から起立する周壁２１２とを有した樹脂一体成形品である。並びに、第二ケース部材２２は、平面視略涙滴状をなし第一ケース部材２１の底壁２１１と対向する頂壁２２１と、頂壁２２１の外周縁から垂下して第一ケース部材２１の周壁と突合する周壁２２２とを有した樹脂一体成形品である。外ケース２の基端側にある底壁２１１及び頂壁２２１は、転写具を使用する使用者が把持することのできる把持部となる。
【００１８】
外ケース２の周壁２１２、２２２は、当該外ケース２の全周に亘って連続してはおらず、一部が切り欠かれている。具体的には、外ケース２の先端側から基端側に向かって直線的に延びる一方の側辺、及び外ケース２の部分円筒状をなす基端側の外周、他方の側辺近傍までの領域が開口している。この開口部２３は、外ケース２の内部空間を外側方に連通せしめるとともに、転写具本体１の転写ヘッド１２５を含む先端側を出し入れするための出入口となる。
【００１９】
周壁２１２、２２２の切り欠かれていない部分は、外ケース２の内部空間を外側方から遮蔽する閉塞部となる。閉塞部は、外ケース２の先端部位、及び外ケース２の先端側から基端側に向かって直線的に延びる他方の側辺を含む。その上で、この直線状に拡張する部位に、第一ケース部材２１と第二ケース部材２２とを相対回動可能に連結するヒンジ２４を付設している。
【００２０】
第二ケース部材２２は、第一ケース部材２１に対し、外ケース２の他方の側辺の延びる方向（閉塞部の拡張する方向）に略平行な軸回りに回動する。そして、図１ないし図５に示すように両ケース部材２１、２２が重なり合い外ケース２が閉じた状態となる閉成姿勢と、図６及び図７に示すように両ケース部材２１、２２が離反して外ケース２が開いた状態となる展開姿勢とをとり得る。回転軸の方向は、繰出リール１２４及び巻取リール１２３の回転軸の方向に対して略垂直である。第二ケース部材２２が第一ケース部材２１に対して展開姿勢をとるとき、平面視転写具本体１の全域が外ケース２に覆われることなく露出する。
【００２１】
本実施形態におけるヒンジ２４は、第一ケース部材２１及び第二ケース部材２２の各々とは別体をなす樹脂成形品である。図８ないし図１０に示すように、ヒンジ２４は、第一ケース部材２１における閉塞部を構成する周壁２１２に固定される第一の取付部２４１と、第二ケース部材２２における閉塞部を構成する周壁２２２に固定される第二の取付部２４２と、これら一対の取付部２４１、２４２を相対回動可能に連結する連結部２４３と、連結部２４３とは別に両取付部２４１、２４２に跨って設けられ両取付部２４１、２４２を弾性付勢するばね部２４４とを有している。
【００２２】
外ケース２が閉成姿勢をとるとき、第一ケース部材２１の周壁２１２と第二ケース部材２２の周壁２２２とが互いに略面一となり、故にヒンジ２４の第一の取付部２４１と第二の取付部２４２とが互いに略面一となる。このとき、図８及び図９に示すように、連結部２４３は外ケース２の外側方に向かって突き出すような湾曲形状をなす。翻って、外ケース２が展開姿勢をとるとき、第一ケース部材２１の周壁２１２と第二ケース部材２２の周壁２２２とが優角をなすように拡開し、故にヒンジ２４の第一の取付部２４１と第二の取付部２４２とが優角をなすように拡開する。このとき、図１０に示すように、連結部２４３は外ケース２の内側方に向かって突き出すような湾曲形状をなす。
【００２３】
ヒンジ２４の各取付部２４１、２４２は、第一ケース部材２１及び第二ケース部材２２の各々の周壁２１２、２２２の内側に取り付けられる。図２及び図５に示しているように、ヒンジ２４（の取付部２４１、２４２、連結部２４３及びばね部２４４）は、外ケース２の周壁２１２、２２２の外側面よりも外側方には突出しない。
【００２４】
第二ケース部材２２が閉成姿勢と展開姿勢との間の思案点よりも第一ケース部材２１に近いと、ヒンジ２４のばね部２４４は第二ケース部材２２を閉成姿勢若しくはその近傍に向けて（即ち、外ケース２を閉じる方向に）弾性付勢する。これに対し、第二ケース部材２２が思案点よりも第一ケース部材２１から離れていると、ばね部２４４は第二ケース部材２２を展開姿勢若しくはその近傍に向けて（即ち、外ケース２を開く方向に）弾性付勢する。このように、ヒンジ２４はスナップヒンジとしての作用を営む。
【００２５】
第二の取付部２４２を第一の取付部２４１に対して回動させる過程で、換言すれば第二ケース部材２２を第一ケース部材２１に対して回動させる過程で、連結部２４３の突き出す方向は外ケース２の外側方から内側方に変化し、あるいは逆に外ケース２の内側方から外側方に変化する。連結部２４３の突き出す方向が変化する付近が、外ケース２の閉成姿勢と展開姿勢との中間の思案点である。
【００２６】
転写具本体１は、外ケース２の第一ケース部材２１に離脱不能に取り付けられているベース部１１と、このベース部１１に着脱可能に取り付けられるとともに転写テープ１２６を保持するリフィル部１２とを要素とする。図７に示すように、リフィル部１２は、転写テープ１２６を巻く繰出リール１２４及び巻取リール１２３、並びに転写ヘッド１２５を、一体のフレーム１２０に支持させてなる。本実施形態の転写具では、このリフィル部１２が、消費された転写物を補給するために交換されるリフィルとなる。転写テープ１２６の交換に際して付け外しされるのがリフィル部１２に限定されており、ベース部１１は交換しない、即ち転写具本体１全体を交換せずに済むことから、廃棄部品を減らすことができる。
【００２７】
ベース部１１は、繰出リール１２４と巻取リール１２３とを連動させる歯車伝動機構、転写具の非使用時に転写ヘッド１２５及び転写テープ１２６を汚損から保護するためのカバー（または、シャッタ）１４、並びに外ケース２を転写具本体１に対して回転移動させる際に押下操作される操作部材１５を、一体のフレーム１１０に支持させてなる。
【００２８】
転写具本体１の外殻は、リフィル部１２のフレーム１２０及びベース部１１のフレーム１１０を要素とした半割構造をなす。図６に示すように、転写具本体１の外殻は、平面視において、基端側が円形で先端側に向かって徐々に先細りとなる略涙滴状の外形を有している。その基端側の円弧状の輪郭の中心が、外ケース２の転写具本体１に対する相対的な回転移動の中心となる。
【００２９】
ベース部１１のフレーム１１０は、平面視略涙滴状をなす底壁１１１と、底壁１１１の外周縁から起立する周壁１１２とを有した樹脂一体成形品である。並びに、リフィル部１２のフレーム１２０は、平面視略涙滴状をなしベース部１１の底壁１１１と対向する頂壁１２１と、頂壁１２１の外周縁から垂下してベース部１１の周壁１１２と突合する周壁１２２とを有した樹脂一体成形品である。
【００３０】
転写具本体１の外殻の周壁１１２、１２２は、当該転写具本体１の全周に亘って連続してはおらず、一部が切り欠かれている。特に、転写具本体１の先端側、及びその先端側から基端側に向かって直線的に延びる一方の側辺の部分が開口している。この開口部１３には、カバー１４が配置される。リフィル部１２のフレーム１２０に支持させた転写ヘッド１２５は、転写具本体１の外殻の先端側よりも先方に位置している。
【００３１】
既に述べた通り、転写具本体１のリフィル部１２は、ベース部１１に対して着脱自在となっている。具体的には、図７及び図１１に示しているように、リフィル部１２のフレーム１２０の頂壁１２１からベース部１１に向けて突出する係合片１２７を、ベース部１１のフレーム１１０に設けられた被係合部１１５に挿入して係合させる。なおかつ、リフィル部１２のフレーム１２０に支持された繰出リール１２４及び巻取リール１２３の内周に、ベース部１１のフレーム１１０に設けられた支軸１１６、１１７を各々嵌入することで、リフィル部１２をベース部１１に組み付けることができる。
【００３２】
リフィル部１２をベース部１１に取り付けたとき、巻取リール１２３に一体的に形成されている歯車１２３１が、ベース部１１に配設された歯車伝動機構の所定の歯車１１３に噛合する。歯車伝動機構は、ベース部１１のフレーム１１０に回転可能に支持された一または複数の歯車を要素に含み、そのうちの一つの歯車１１３が繰出リール１２４と同軸となるとともに、繰出リール１２４及びこれと係合する支軸１１７の回転を巻取リール１２３に伝動する。本実施形態では、歯車伝動機構の歯車１１３が支軸１１７に一体的に形成され、この歯車１１３が直接に巻取リール１２３の歯車１２３１に噛合する。だが、支軸１１７側の歯車１１３と巻取リール１２３側の歯車１２３１との間に、別の歯車を介在させても構わない。その場合、当該歯車は、歯車伝動機構の要素の一つとして、予め歯車１１３に噛合した状態で歯車１１３とともにベース部材１１に配設されることとなる。
【００３３】
支軸１１７は、その先端部に滑りクラッチ（または、摩擦クラッチ）１１８を有しており、この滑りクラッチ１１８を介して繰出リール１２４に係合し、繰出リール１２４を支持する。滑りクラッチ１１８は、繰出リール１２４と歯車１１３との間に介在し、これら両者の回転速度差を許容しつつ、両者の間でトルクを伝達する。滑りクラッチ１１８は、転写テープ１２６が消費されるにつれて、即ち繰出リール１２４から繰り出され巻取リール１２３に巻き取られるにつれて変化する、繰出リール１２４の回転速度と巻取リール１２３の回転速度との差を吸収する。
【００３４】
ベース部１１に装着したリフィル部１２のフレーム１２０の頂壁１２１の上面は、閉成姿勢をとる外ケース２の第二ケース部材２２の頂壁２２１の下面に当接または近接する。図６に示すように、頂壁１２１の上面には、軸孔１２１１及び長孔１２１２が形成されている。軸孔１２１１は、平面視外ケース２の転写具本体１に対する相対回転移動の中心に位置しており、長孔１２１２は、平面視その中心と同心の部分円弧状をなす。第二ケース部材２２の頂壁２２１の下面からは、係合突起２２１１、２２１２が突き出しており、外ケース２の第二ケース部材２２を閉成姿勢としたときに、各係合突起２２１１、２２１２が軸孔１２１１及び長孔１２１２にそれぞれ挿入されてこれらに係合する。係合突起２２１１と軸孔１２１１との係合、及び係合突起２２１２と長孔１２１２との係合は、外ケース２の転写具本体１に対する相対回転移動の妨げとならない。
【００３５】
ベース部１１のフレーム１１０の底壁１１１の下面は、外ケース２の第一ケース部材２１の底壁２１１の上面に当接または近接する。図１１に示すように、底壁１１１には、これを貫通する係止孔１１１１が形成されている。係止孔１１１１は、平面視外ケース２の転写具本体１に対する相対回転移動の中心に位置している。そして、第一ケース部材２１の底壁２１１の上面からは、係止突起２１１１が突き出している。係止突起２１１１は、係止孔１１１１に挿入されてこれに係合する。係止突起２１１１の先端部には、当該係止突起２１１１の係止孔１１１１に対する挿入方向と略直交する方向に突き出した爪２１１２が存在し、この爪２１１２が抜け止めとなって、一旦係止孔１１１１に挿入された係止突起２１１１は係止孔１１１１から容易に抜出することはない。従って、ベース部１１の底壁１１１は、第一ケース部材２１の底壁２１１から離反することができない。つまり、転写具本体１のベース部１１は、外ケース２の第一ケース部材２１から離脱しない。また、係止突起２１１１と係止孔１１１１との係合は、外ケース２の転写具本体１に対する相対回転移動の妨げとならない。
【００３６】
図１ないし図５及び図１８に示すように、転写具本体１の基端側における部分円筒状をなす外殻の周壁１１２、１２２の外面には、僅かながら凹んだ凹部１８１、１８２を形成してある。平面視または平断面視において、これら凹部１８１、１８２は、外ケース２の転写具本体１に対する相対的な回転移動の中心に対称な二箇所に所在する。なお、図１８では、簡明化のため、外ケース２、転写具本体１のフレーム１１０、カバー１４、ヒンジ２４及び転写ヘッド１２５以外の内部構造の図示を省略している。図１及び図２に示す非使用状態にあって、転写具本体１の基端側の周壁１１２、１２２及び凹部１８１、１８２は、外ケース２の開口部２３を介して表出している。使用者は、各凹部１８１、１８２に指を掛け、転写具本体１の基端側の周壁１１２、１２２を二本の指で摘まむように保持して、転写具本体１を外カバー２に対して回転させる操作を行うことができる。
【００３７】
本実施形態の転写具は、図１及び図２に示す非使用状態と、図４に示す第一の使用状態と、図５に示す第二の使用状態とを選択的にとり得る。非使用状態では、転写具本体１及び転写ヘッド１２５が外ケース２内に収容される。より詳しくは、平面視において転写ヘッド１２５が閉成姿勢をとる外ケース２の外周（及び、周壁２１２、２２２）よりも内側に収まり、転写ヘッド１２５を含む転写具本体１の全域が同外ケース２の底壁２１１及び頂壁２２１に遮蔽される。そして、転写ヘッド１２５を転写対象面に接触させようとしても、外ケース２が転写対象面に干渉して、転写ヘッド１２５を転写対象面に接触させることができない。
【００３８】
のみならず、非使用状態では、転写具本体１のベース部１１のフレーム１１０に支持されているカバー１４が、外ケース２の先端部にある周壁２１２、２２２に（即ち、開口部２３の端縁に）当接または極近接する閉位置まで進出する。外ケース２の開口部２３は、外ケース２の基端側から一方の側辺に沿って先端部付近まで拡張している。このことから、非使用状態にあっては、外ケース２の先端部の周壁２１２、２２２と転写具本体１の外殻の周壁１１２、１２２との間に空隙が形成される。だが、カバー１４が、転写具本体１の先端部に所在する転写ヘッド１２５の側方まで進出してこの空隙を閉じ、外ケース２の外部からの転写ヘッド１２５への接触を阻む。カバー１４の存在により、転写具の非使用時に塵や埃が外ケース２内に侵入して転写ヘッド１２５や転写テープ１２６に付着することが抑制される。
【００３９】
第一の使用状態及び第二の使用状態では、転写具本体１の先端側及び転写ヘッド１２５が外ケース２外に露出する。このとき、カバー１４は、転写ヘッド１２５の側方から変位し、転写ヘッド１２５と転写対象面との当接を妨げない開位置まで退避する。第一の使用状態は、非使用状態から外ケース２を転写具本体１に対し一定角度だけ相対回転移動させた状態であり、第二の使用状態は、この第一の使用状態からさらに外ケース２を同一方向に一定角度だけ相対回転移動させた状態である。
【００４０】
しかして、本実施形態の転写具には、外ケース２を転写具本体１に対して、非使用状態、第一の使用状態及び第二の使用状態の何れかの位置に保定することを可能とするロック機構が実装されている。
【００４１】
詳述すると、図１１ないし図１５に示すように、第一ケース部材２１の底壁２１１の上面に、ベース部１１の底壁１１１に向かって突出する凸条２１３１が形成されている。この凸条２１３１は、平面視外ケース２の転写具本体１に対する相対回転移動の中心と同心の部分円弧状をなすレール２１４となる領域を囲繞している。加えて、外側にある凸条２１３１の内周面の一部を、外ケース２の転写具本体１に対する相対回転移動の中心に向けて膨出または突出させることで、複数の保定位置２１５、２１６、２１７を構成している。
【００４２】
他方、転写具本体１のベース部１１には、外ケース２の転写具本体１に対する保定を実現するとともにその保定を解除するために操作される操作部材１５が設けられる。操作部材１５は、ベース部１１の底壁１１１の所定部位から突出するピン１１９１に嵌まるように組み付けられる。そして、このピン１１９１と係合する位置から、支軸１１７に支持される繰出リール１２４と支軸１１６に支持される巻取リール１２３との間に向かうように、腕部１５５が伸長している。腕部１５５の先端は、ベース部１１の底壁１１１から突出する支え突起１１９２に掛かる。さらに、ピン１１９１と係合する位置から、ベース部１１のフレーム１１０の先端側に向かって、かつベース部１１の周壁１１２に沿うように、基部１５１が拡張している。
【００４３】
操作部材１５の基部１５１における、第一ケース部材２１の底壁２１１に形成されたレール２１４の直上に位置する部位には、第一ケース部材２１の底壁２１１に向かってストッパ突起１５４が突出している。図１６に示しているように、ストッパ突起１５４は、転写具本体１のベース部１１の底壁１１１に穿たれた長孔１１９３を介して底壁１１１を貫通し、第一ケース部材２１の底壁２１１に形成されたレール２１４内に収まる。
【００４４】
上記の保定位置２１５、２１６、２１７及びストッパ突起１５４が、ロック機構の要素となる。即ち、ストッパ突起１５４が何れかの保定位置２１５、２１６、２１７に係合することにより、外ケース２（の第一ケース部材２１）の転写具本体１（のベース部１１のフレーム１１０）に対する相対回転移動が制止され、外ケース２が非使用状態、第一の使用状態及び第二の使用状態の何れかの位置に保定される。図１２は非使用状態を、図１４は第一の使用状態を、図１５は第二の使用状態を、それぞれ表している。ストッパ突起１５４が挿通される長孔１１９３は、平面視ピン１１９１を中心とした円弧に近い軌跡に沿って拡張している。
【００４５】
基部１５１の一部は、使用者の手により押下操作される押下ボタン１５２となっている。押下ボタン１５２は、転写具本体１の外殻の周壁１１２、１２２、特にベース部１１の周壁１１２に予め形成された窓１６１から転写具本体１の外側方に向けて表出する。但し、押下ボタン１５２が常に使用者の手指の届く位置に露出しているとは限らない。図２及び図１２に示す非使用状態では、押下ボタン１５２は外ケース２の周壁２１２、２２２（の直線状に拡張する部位）に遮られて隠蔽されており、使用者の手指でこれを視認することも、これに触れることも困難である。対して、図１４及び図１５に示す使用状態では、押下ボタン１５２が外ケース２の開口部２３から、または外ケース２外に露出するようになり、使用者がこれを視認でき、使用者の手指で容易にこれに触れることが可能となる。
【００４６】
図１２ないし図１５に示しているように、平面視または平断面視において、操作部材１５は、押下ボタン１５２を除き、転写具本体１の周壁１１２、１２２の内側、支軸１１７に支持される繰出リール１２４と支軸１１６に支持される巻取リール１２３との間の空間に収まっている。
【００４７】
ロック機構による、外ケース２の転写具本体１に対する保定、即ち相対回転移動の制止を解除するためには、転写具本体１の周壁１１２の窓１６１から表出している押下ボタン１５２を押下してこれを没入させる。さすれば、操作部材１５の基部１５１が、押下ボタン１５２及びストッパ突起１５４とともに、ベース部１１のフレーム１１０に対して、ピン１１９１を中心に回動するように変位する。同時に、基部１５１に形成されたストッパ突起１５４が、拡張している長孔１１９３に沿って、外ケース２の転写具本体１に対する相対回転移動の中心に近づく方向、即ち外側にある凸条２１３１の内周面から離反する方向に変位する。結果、ストッパ突起１５４が保定位置２１５、２１６、２１７から離脱して、外ケース２の転写具本体１に対する相対回動移動が解禁される。
【００４８】
また、このとき、操作部材１５が弾性変形して反力を蓄える。特に、根元がピン１１９１により変位不能に軸支されている基部１５１が、腕部１５５に接近するように撓み変形して曲がる。一方で、腕部１５５は支え突起１１９３に係合しており、腕部１５５が多少変形することはあっても、基部１５１と同程度に変位することは阻まれる。故に、操作部材１５全体がピン１１９１を中心に回動することはない。
【００４９】
使用者が押下ボタン１５２を押下しなくなると、ばねとして機能する操作部材１５が蓄えた弾性反力によって、基部１５１が、押下ボタン１５２及びストッパ突起１５４とともに、ピン１１９１を中心に逆方向に回動するように変位する。そして、基部１５１の撓み変形が緩和ないし解消される。同時に、基部１５１に形成されたストッパ突起１５４が、拡張している長孔１１９３に沿って、外ケース２の転写具本体１に対する相対回転移動の中心から遠ざかる方向、即ち外側にある凸条２１３１の内周面に接近する方向に変位する。結果として、再びストッパ突起１５４が何れかの保定位置２１５、２１６、２１７に係合可能となり、使用者が外ケース２を回転させることで任意の使用状態または非使用状態に外ケース２を保定できるようになる。外ケース２が転写具本体１に対して回動移動する際には、ストッパ突起１５４が凸条２１３１の内周面に対して摺動しながらレール２１４内を移動し、保定位置２１５、２１６、２１７に到達したときに当該保定位置２１５、２１６、２１７に嵌まり込む。
【００５０】
押下ボタン１５２は、外ケース２外に露出している転写具本体１及び転写ヘッド１２５の外ケース２に対する相対的な角度を変更するために押下操作される。転写具を使用する使用者は、転写具本体１の転写ヘッド１２５を転写対象面に対して押圧する。その反作用で、転写具本体１には、当該転写具本体１を第一の使用状態から第二の使用状態に向かわせる方向の力が加わる。図４及び図１４に示す第一の使用状態において、ロック機構を構成するストッパ突起１５４と保定位置２１６との係合は、転写具の使用中に転写具本体１が外ケース２に対して意図せず回転することを制止する。使用者が押下ボタン１５２を押下すると、外ケース２の転写具本体１に対する保定が解除され、外ケース２または転写具本体１を第一の使用状態から図５及び図１５に示す第二の使用状態に向けて回転移動させることが可能となる。
【００５１】
特に、図１４に示しているように、使用者が押下ボタン１５２を押下するときに当該押下ボタン１５２が受ける操作力Ｐは、転写ヘッド１２５を備える転写具本体１の先端部が第一の使用状態から第二の使用状態に向かって回転する方向Ｒに沿った、換言すれば方向Ｒに平行な分力を含む。換言すれば、使用者が押下ボタン１５２を押す方向Ｐと、転写具本体１を第一の使用状態から第二の使用状態に向けて回転させるべくこれを押す方向Ｒとが近くなっている。よって、自然な操作で第一の使用状態から第二の使用状態へと遷移することができる。
【００５２】
外ケース２または転写具本体１を、第二の使用状態から第一の使用状態または非使用状態に向けて回転移動させるときには、必ずしも押下ボタン１５２を押下する必要はない。外ケース２を転写具本体１に対して勢いよく回転させれば、ストッパ突起１５４が保定位置２１６に深く嵌まり込む前にこれを通過させることが可能である。とは言え、転写具本体１及び転写ヘッド１２５を外ケース２内に収納するときに、押下ボタン１５２を押下しても構わない。
【００５３】
転写具の非使用時に転写ヘッド１２５及び転写テープ１２６を保護するカバー１４は、外ケース２の転写具本体１に対する相対回転移動に連動して開閉する。図１２ないし図１５に示すように、第一ケース部材２１の底壁２１１の上面には、ベース部１１の底壁１１１に向かって突出する凸条２１３２が形成されている。凸条２１３２は、平面視レール２１４よりも内側にあって、外ケース２の転写具本体１に対する相対回転移動の中心と同心の円弧状またはＣ字形をなしている。凸条２１３２の突出高さは、レール２１４を囲繞する凸条２１３１のそれよりも高い。
【００５４】
この凸条２１３２の外周面の一部には、歯２１８が存在している。歯２１８は、転写具本体１のベース部１１のフレーム１１０に支持された歯車１７に噛合する。図１６に示しているように、歯車１７は、ベース部１１の底壁１１１における第一ケース部材２１の底壁２１１に臨む面に現れるように設けられている。さらに、この歯車１７が、ベース部１１のフレーム１１０にスライド可能に支持されているカバー１４に形成されたラック歯１４１に噛合する。
【００５５】
上記の歯２１８、歯車１７及びラック歯１４１は、外ケース２と転写具本体１との相対回転移動をカバー１４のスライド移動に変換する変換機構の要素となる。そして、この変換機構は、非使用状態から第一の使用状態までの間でカバー１４をスライド移動させる。具体的には、外ケース２の第一ケース部材２１が転写具本体１のベース部１１に対し、図１、図２及び図１２に示す非使用状態から図４及び図１４に示す第一の使用状態に向かって相対回転移動する過程で、凸条２１３２の外周面の歯２１８が歯車１７を回転させ、回転する歯車１７がカバー１４のフレーム１１０、１２０に対するスライド移動を惹起して、カバー１４を閉位置から開位置に変位させる。
【００５６】
カバー１４が図３及び図１３に示す開位置に至ったとき、歯車１７は、凸条２１３２の外周面における、歯２１８の設けられていない部分に到達する。即ち、使用状態においては、歯車１７と歯２１８とが噛合しない。従って、外ケース２（の第一ケース部材２１）が転写具本体１（のベース部１１）に対してさらに回転移動したとしても、それ以上歯車１７が回転することはなく、カバー１４は開位置にあり続ける。なお、使用状態において歯車１７の歯がカバー１４側の歯１４１と噛合しなくなるような構造とすることを妨げない。
【００５７】
外ケース２の第一ケース部材２１が、転写具本体１のベース部１１に対し、図４及び図１４に示す第一の使用状態に位置づけられたとき、ストッパ突起１５４が、第一の使用状態に対応した保定位置２１６に係合する。同時に、凸条２１３２の外周面に一個または小数個設けられている歯（または、突起）２１９が、歯車１７に噛合（または、係合）する。これにより、外ケース２が第一の使用状態の位置に保定されるとともに、ラック歯１４１に噛合する歯車１７の回転が抑制され、カバー１４に外力が作用したとしても、カバー１４がベース部１１に対してスライド移動することなく開位置に保定される。
【００５８】
さらに、外ケース２の第一ケース部材２１が、転写具本体１のベース部１１に対し、図５及び図１５に示す第二の使用状態に位置づけられたとき、ストッパ突起１５４が、第二の使用状態に対応した保定位置２１７に係合する。同時に、凸条２１３２の外周面に一個または小数個設けられている歯（または、突起）２１０が、歯車１７に噛合（または、係合）する。これにより、外ケース２が第二の使用状態の位置に保定されるとともに、ラック歯１４１に噛合する歯車１７の回転が抑制され、カバー１４に外力が作用したとしても、カバー１４がベース部１１に対してスライド移動することなく開位置に保定される。
【００５９】
外ケース２の第一ケース部材２１が、転写具本体１のベース部１１に対し、第一の使用状態から非使用状態に向かって相対回転移動する過程では、凸条２１３２の外周面の歯２１８が歯車１７を逆回転させ、この歯車１７がカバー１４のベース部１１に対するスライド移動を惹起して、カバー１４が開位置から閉位置に変位することは言うまでもない。
【００６０】
歯車１７に関して補足すると、図１６及び図１７に示すように、歯車１７は、第一歯車要素１７１と第二歯車要素１７２との組となっている。第一歯車要素１７１は、第一ケース部材２１の底壁２１１におけるベース部１１の底壁１１１に臨む面に形成された歯２１８、２１９、２１０に噛合する。第二歯車要素１７２は、ベース部１１のフレーム１１０にスライド可能に支持されているカバー１４に形成された歯１４１に噛合する。平常時、第一歯車要素１７１と第二歯車要素１７２とは一体となって回転し、一体の歯車１７を構成する。
【００６１】
第一歯車要素１７１と第二歯車要素１７２とのうち一方（図示例では、第二歯車要素１７２）には、歯車１７の回転軸の伸びる方向に沿って突出する軸部１７２１が設けられ、他方（図示例では、第一歯車要素１７１）には、当該軸部１７２１が挿入される軸孔１７１１が設けられる。これら軸部１７２１及び軸孔１７１１は、第一歯車要素１７１の回転と第二歯車要素１７２の回転とを連動させ同期させる滑りクラッチ（または、摩擦クラッチ）として機能する。軸孔１７１１の内周には、歯車１７の回転軸と直交する径方向に沿って内方に凹む複数の凹部１７１２が連続的に成形されている。並びに、軸体１７２１の外周には、歯車１７の回転軸と直交する径方向に沿って外方に突き出す凸部１７２２が連続的に成形されている。この凸部１７２２は、軸孔１７１の内周の凹部１７１２の何れかに係合する。また、軸体１７２１は、径方向に沿って内方に弾性変形できるよう、複数の部分に分割されて（図示例では、二分されて）いる。
【００６２】
歯車１７に作用する回転トルクが過大でない平常時には、凹部１７１２と凸部１７２２との係合を通じて第一歯車要素１７１と第二歯車要素１７２との間でトルクが伝達され、第二歯車要素１７２が第一歯車要素１７１に対して相対的に回転せず、両者が一体の歯車１７として回転する。
【００６３】
これに対し、歯車１７に作用する回転トルクが過大となると、軸体１７２１の弾性変形を伴って凸部１７２２が係合している凹部１７１２から脱出し、隣接する凹部１７１２に遷移する。つまり、第一歯車要素１７１と第二歯車要素１７２とを繋ぐクラッチにおいて滑りが生じ、両者の間でトルクが伝達されず、第二歯車要素１７２が第一歯車要素１７１に対して相対的に回転するようになる。故に、第一歯車要素１７１と第二歯車要素１７２とのうちの一方が回転するにもかかわらず、もう一方が回転しない状態となる。
【００６４】
転写テープ１２６を消費したリフィル部１２を新品のリフィル部１２に交換する際には、図６に示しているように外ケース２を開いて展開姿勢とする。第二ケース部材２２が第一ケース部材２１に対して回動するときの回転軸は、外ケース２が転写具本体１に対して回転移動するときの回転軸に直交する仮想的な平面（この仮想平面は、平面視の視線方向と直交する）と略平行である。転写具本体１の基端側における頂壁１２１の外面、及びこの頂壁１２１に臨む第二ケース部材２２の頂壁２２１の内面は、外ケース２が展開姿勢をとるときに露わとなるが、外ケース２が閉成姿勢をとるときには隠蔽される。本実施形態では、転写具本体１の頂壁１２１の外面と第二ケース部材２２の頂壁２２１の内面とのうちの一方または両方に、転写具の使用方法または注意事項を表示するための表示領域１２１３、２２１３が設けられている。表示領域１２１３、２２１３は、転写具の使用方法、特にリフィル部１２の交換の手順、転写具の使用時や保管時の留意点その他の説明書きや図、転写具の製造元や販売元、カスタマーセンターの連絡先等を表示する領域である。例えば、図２０に示す、そのような内容を印刷したステッカー（または、ラベル、シール）３１、３２が、この表示領域１２１３、２２１３に貼付される。表示領域１２１３、２２１３は、外ケース２が展開姿勢をとることで露出して、使用者の目に容易に視認可能となる。そして、外ケース２が閉成姿勢をとることで外ケース２により覆い隠されて、使用者の目に付かなくなる。この場合において、外ケース２またはその第二ケース部材２２は、不透明または透明度の低い半透明であることが好ましい。
【００６５】
本実施形態の転写具には、転写具本体１のリフィル部１２をベース部１１及び外ケース２に係留する係留機構が実装されている。リフィル部１２をベース部１１及び外ケース２から取り外すためには、この係留機構による係留を解除する必要がある。具体的には、図７及び図１９に示すように、ベース部１１のフレーム１１０に支持されている操作部材１５の基部１５１から、リフィル部１２のフレーム１２０に向かって係留爪１５６が延出している。その爪先１５６１は、リフィル部１２の周壁１２２の内周面に向かって突き出している。他方、リフィル部１２の周壁１２２の内周面における爪先１５６１に臨む部位には、外側方に凹む被係留部１２９が形成されている。
【００６６】
上記の係留爪１５６及び被係留部１２９は、係留機構の要素となる。即ち、リフィル部１２をベース部１１に取り付けているとき、係留爪１５６の爪先１５６１が被係留部１２９の内に差し入ってこれに係合する。そして、リフィル部１２のフレーム１２０をベース部１１のフレーム１１０から引き離すような力が作用したとしても、係留爪１５６の爪先１５６１が被係留部１２９に引っ掛かってリフィル部１２のフレーム１２０を係留するために、リフィル部１２のフレーム１２０が容易にベース部１１のフレーム１１０から引き離されることはない。従って、リフィル部１２がベース部１１及び外ケース２から離脱しない。
【００６７】
リフィル部をベース部１１及び外ケース２から取り外すには、まず外ケース２を開いて展開姿勢とし、露出する押下ボタン１５２を押下する。さすれば、操作部材１５の基部１５１とともに、係留爪１５６が、リフィル部１２の周壁１２２の内周面から離反する方向に変位する。結果、係留爪１５６の爪先１５６１が被係留部１２９から離脱して、リフィル部１２のフレーム１２０のベース部１１のフレーム１１０に対する係留が解除される。
【００６８】
しかる後、リフィル部１２のフレーム１２０をベース部１１のフレーム１１０から引き離すようにして、係合片１２７を被係合部１１５から抜出し、かつ巻取リール１２３及び繰出リール１２４を支軸１１６、１１７から脱離させる。これにより、図７に示すように、リフィル部１２をベース部１１から取り外すことができる。その上で、新品のリフィル部１２をベース部１１に取り付け、外ケース２を再び閉じて図１ないし図５に示す閉成姿勢とすればよい。
【００６９】
本実施形態では、転写物を転写テープ１２５から転写対象面に転写するための転写ヘッド１２５を備えた転写具本体１と、転写具本体１を収容する外ケース２とを具備し、外ケース２が転写具本体１に対して相対移動することで、転写具本体１の転写ヘッド１２５が外ケース２に覆われる非使用状態と、転写具本体１の転写ヘッド１２５が外ケース２外に露出する第一の使用状態と、転写具本体１の転写ヘッド１２５が外ケース２外に露出し当該転写具本体１の外ケース２に対する相対的な位置が第一の使用状態とは異なる第二の使用状態とをとり得る転写具であって、前記第一の使用状態において前記外ケース２の前記転写具本体１に対する相対移動を制止するロック機構、及び、使用者の手指により押下されることでロック機構による外ケース２の転写具本体１に対する相対移動の制止を解除する押下ボタン１５２が設けられた転写具を構成した。
【００７０】
本実施形態によれば、転写具の使用時において外ケース２の転写具本体１に対する相対移動を制止する制止力を必要十分に強めることができる。押下ボタン１５２に加わる押下操作力によって制止を解除するロック機構は、単純な凹凸係合構造や節度機構と比較してより大きな制止力を発揮することが可能である。従って、転写具の使用中に外ケース２または転写具本体１に大きな外力が作用したとしても、外ケース２が転写具本体１に対して不意に回転してしまうことを防止でき、転写具としての使いやすさがより一層向上する。外ケース２または転写具本体１を第一の使用状態から第二の使用状態または非使用状態へと遷移させるためには、押下ボタン１５２を押下してロック機構による制止を解除すればよい。
【００７１】
そして、転写具の使用時には、第一の使用状態と第二の使用状態とを任意に選択できる。即ち、転写具本体１に対する外ケース２の位置を、使用者の手になじむ、使いやすい位置に設定するすることが可能である。
【００７２】
図１４及び図１５に示すように、使用状態では、押下ボタン１５２が転写具の下方かつ転写具全体（転写具本体１の先端部にある転写ヘッド１２５から外ケース２の先端部まで）の中間あたりに位置している。このため、使用者が転写具を把持して転写ヘッド１２５を転写対象面に押圧する操作において、使用者の手指が誤って押下ボタン１５２を押すことがない。
【００７３】
前記押下ボタン１５２は、前記非使用状態において前記外ケース２により遮蔽されて露出せず、当該非使用状態から外ケース２が前記転写具本体１に対して相対移動することで外ケース２外に露出するものであるため、非使用状態における転写具の美観、格調を高められる。また、押下ボタン１５２の存在が外ケース２の外観デザインを制約することが避けられ、外観デザインの自由度が確保される。
【００７４】
前記相対移動が、前記外ケース２の前記転写具本体１に対する相対回転移動であるため、使用者個々人の好みに合わせて、転写具本体２に対する外ケース１の姿勢、角度または向きを変更して使用することができる。
【００７５】
加えて、使用者が前記押下ボタン１５２を押下するときに当該押下ボタン１５２が受ける操作力Ｐが、前記転写ヘッド１２５を備える前記転写具本体１の先端部の回転する方向Ｒに沿った分力を含むように、押下ボタン１５２が配置されていることから、転写具本体１の回転の制止を解除するべく押下ボタン１５２を押す方向Ｐと、転写具本体１を回転させるべくこれを押す方向Ｒとが近くなり、自然な操作で転写具本体１に対する外ケース２の姿勢、角度または向きを変更できる。
【００７６】
本実施形態の転写具においては、前記第一の使用状態にて、前記転写ヘッド１２５が転写対象面に対して押圧される反作用で前記転写具本体１に第一の使用状態から前記第二の使用状態に向かわせる方向の力が加わる。前記ロック機構は、その力によって前記転写具本体１が回転することを制止する。このため、転写具の使用時に転写具本体１が第一の使用状態の位置から非使用状態の位置に向かって回転しない、つまりは転写具の使用中に転写ヘッド１２５が外ケース２内に没入してしまうことがない。
【００７７】
使用者が前記押下ボタン１５２を押下するときに変形して弾性反発力を蓄えるばね１５が、前記転写具本体１における、前記転写テープ１２６を繰り出す繰出リール１２４と前記転写ヘッド１２５を経由した転写テープ１２６を巻き取る巻取リール１２３との間の空間を利用して配置されるため、スペースをとるばね１５を効率よく組み込むことができ、転写具本体１及び外ケース２の肥大化を抑制できる、即ち転写具のコンパクト化に資する。
【００７８】
さらに、本実施形態の転写具には、前記転写ヘッド１２５、前記繰出リール１２４及び前記巻取リール１２３を備えて前記転写具本体１を構成するリフィル１２を、前記外ケース２から離脱しないように係留する係留機構が設けられており、前記押下ボタン１５２が、使用者の手指により押下されることで前記係留機構による係留を解除して前記リフィル１２の前記外ケース２に対する着脱を許容するものとなっている。従って、外ケース２の転写具本体１に対する相対移動の制止を解除するための押下ボタン１５２と、リフィル１２の外ケース２への係留を解除するための押下ボタン１５２とが共通化し、部品点数が削減されるとともに、押下ボタン１５２の数が増すことによる分かりにくさを回避できる。
【００７９】
並びに、本実施形態では、転写物を転写テープ１２６から転写対象面に転写するための転写ヘッド１２５を備えた転写具本体１と、転写具本体１を収容する外ケース２とを具備し、外ケース２が転写具本体１に対して相対移動することで、転写具本体１の転写ヘッド１２５が外ケース２に覆われる非使用状態と、転写具本体１の転写ヘッド１２５が外ケース２外に露出する使用状態とをとり得る転写具であって、前記外ケース２が、第一ケース部材２１と、この第一ケース部材２１と重なり合い当該外ケース２が閉じた状態となる閉成姿勢と第一ケース部材２１から離反して当該外ケース２が開いた状態となる展開姿勢とをとり得る第二ケース部材２２とを備えており、前記閉成姿勢において隠蔽され前記展開姿勢において露出する、前記第二ケース部材２２の内面及び／または前記転写具本体１の外面に、当該転写具の使用方法または注意事項を表示するための表示領域２２１３、１２１３が設けられている転写具を構成した。
【００８０】
本実施形態によれば、外ケース２を開いて展開姿勢とすることで、転写具本体１の大半部ないし全域を露出させることができ、転写具本体１を構成するリフィル１２の脱着、交換作業が容易となる。さらに、外ケース２が閉成姿勢をとって閉じているときには、転写具本体１の大半部ないし全域が隠蔽され、なおかつ表示領域１２１３、２２１３が表出しない。このため、転写具の美観、格調を高めることができる。加えて、表示領域１２１３、２２１３の存在が外ケース２の外観デザインを制約してしまうことがなく、外観デザインの自由度を確保できる。リフィル１２を交換する等の目的で外ケース２を開いたときには、よく目に付く位置に表示領域１２１３、２２１３が現れ、使用者が転写具の使用方法や注意事項を容易に確認できる。
【００８１】
前記第二ケース部材２２は、前記ヒンジ２４により、当該第二ケース部材２２が前記第一ケース部材２１に対して相対的に閉成姿勢と展開姿勢との間で回動できるよう、第一ケース部材２１に連結されている。
【００８２】
そして、前記外ケース２が前記転写具本体１に対して所定の仮想平面（本実施形態にあっては、外ケース２が転写具本体１に対して非使用状態と使用状態との間で回転移動するときの回転軸に直交する面）に沿って相対移動するものであり、前記第二ケース部材２２が前記第一ケース部材２１に対して前記仮想平面と略平行な軸回りに回動するものであることから、展開姿勢において転写具本体１の大半部ないし全域を好適に露出させることができる。
【００８３】
なお、本発明は以上に詳述した実施形態に限られるものではない。例えば、上記実施形態では、転写具本体１を構成するリフィル部１２をベース部１１から離脱させることが可能であり、リフィル部１２のみを交換できるようになっていたが、リフィル部をベース部から離脱不能とする、換言すればリフィル部とベース部とが一体化したリフィルとなっている態様をとることも考えられる。その場合には、転写テープを保持するリフィルである転写具本体を外ケースに対して着脱可能とする必要がある。
【００８４】
その他、各部の具体的構成は、本発明の趣旨を逸脱しない範囲で種々変形が可能である。
【産業上の利用可能性】
【００８５】
本発明は、転写物を転写対象面に転写するために使用される転写具に適用できる。
【符号の説明】
【００８６】
１…転写具本体
１１…ベース部
１２…リフィル部
１２１３…表示領域
１２５…転写ヘッド
１５２…押下ボタン
２…外ケース
２１…第一ケース部材
２２…第二ケース部材
２２１３…表示領域
３１、３２…ステッカー
【図１】
2019104115.tif 000003
【図２】
2019104115.tif 000004
【図３】
2019104115.tif 000005
【図４】
2019104115.tif 000006
【図５】
2019104115.tif 000007
【図６】
2019104115.tif 000008
【図７】
2019104115.tif 000009
【図８】
2019104115.tif 000010
【図９】
2019104115.tif 000011
【図１０】
2019104115.tif 000012
【図１１】
2019104115.tif 000013
【図１２】
2019104115.tif 000014
【図１３】
2019104115.tif 000015
【図１４】
2019104115.tif 000016
【図１５】
2019104115.tif 000017
【図１６】
2019104115.tif 000018
【図１７】
2019104115.tif 000019
【図１８】
2019104115.tif 000020
【図１９】
2019104115.tif 000021
【図２０】
2019104115.tif 000022